(57)【特許請求の範囲】
【請求項１】
情報を表示可能な表示画面と、
タッチ操作を受け付けるタッチパネルと、
を具えた携帯型電子機器であって、
タッチパネルへの無操作時間をカウントするタイマーと、
該タイマーのカウント時間が所定時間に達したときに、表示画面に表示されている情報に対する操作ガイドがある場合に、前記表示画面のステータスバーに前記操作ガイドがあることを示すガイドピクトを表示し、前記タッチパネルにより前記ガイドピクトに対するタッチ操作が受け付けられた場合、前記操作ガイドを表示画面に表示するガイド制御表示部と、
を具えることを特徴とする携帯型電子機器。
【請求項２】
前記ガイド制御表示部は、前記操作ガイドが表示画面に表示された状態で、前記タッチパネルへの無操作状態が所定時間経過すると、次の操作ガイドを表示する請求項１に記載の携帯型電子機器。
【請求項３】
前記ガイド制御表示部は、前記ガイドピクトをソフトキーボードとは逆側の端部に表示する請求項１又は請求項２に記載の携帯型電子機器。
【請求項４】
前記タッチパネルより受け付けたタッチ操作に基づき入力された情報が表示される複数の入力領域が前記表示画面に表示された状態で、前記ガイド制御表示部は、前記操作ガイドを少なくとも２以上の入力領域に対応して前記表示画面に表示する請求項１乃至請求項３の何れかに記載の携帯型電子機器。
【請求項５】
前記ガイド制御表示部は、前記タッチパネルより受け付けたタッチ操作に基づき情報が入力されている入力領域に、前記操作ガイドを他の操作ガイドに比して優先して前記表示画面に表示する請求項４に記載の携帯型電子機器。
【請求項６】
前記ガイド制御表示部は、前記操作ガイドを前記タッチパネルより受け付けたタッチ操作に基づき、入力された情報が表示される入力領域と重ならない位置に表示させる制御を実行する請求項４又は請求項５に記載の携帯型電子機器。
【請求項７】
情報を表示可能な表示画面と、タッチ操作を受け付けるタッチパネルと、を具えた携帯型電子機器の制御方法であって、
タッチパネルへの無操作時間をカウントするステップ、
カウントされた無操作時間が所定時間に達したときに、表示されている情報に対する操作ガイドがある場合に、前記表示画面のステータスバーに前記操作ガイドがあることを示すガイドピクトを表示するステップ、
前記タッチパネルにより前記ガイドピクトに対するタッチ操作が受け付けられた場合、前記操作ガイドを表示するステップと、
を含んでいることを特徴とする携帯型電子機器の制御方法。
【請求項８】
情報を表示可能な表示画面と、タッチ操作を受け付けるタッチパネルと、を具えた携帯型電子機器のコンピュータに、
タッチパネルへの無操作時間をカウントする手順、
カウントされた無操作時間が所定時間に達したときに、表示されている情報に対する操作ガイドがある場合に、前記表示画面のステータスバーに前記操作ガイドがあることを示すガイドピクトを表示する手順、
前記タッチパネルにより前記ガイドピクトに対するタッチ操作が受け付けられた場合、前記操作ガイドを表示する手順と、
を実行させるプログラム。
【発明の詳細な説明】
【技術分野】
【０００１】
本発明は、タッチパネルを有する携帯型電子機器に関するものである。
【背景技術】
【０００２】
タッチパネルを有し、該タッチパネルを操作することで、メールやブラウザ等のアプリケーションを操作することのできるスマートフォン等の携帯型の電子機器が知られている。
この種の携帯型電子機器では、情報を表示可能な表示画面上にタッチパネルを具え、ユーザがタッチパネルに触れることで、各種操作を行なうことができる(例えば特許文献１参照)。
【０００３】
携帯型電子機器は、一般に表示画面が小さく、表示画面に表示される文字等も小さい。このため、メールアドレスや電話番号等のアドレスの登録や、ブラウザ等の操作において、ユーザがどのように操作すればよいのか判断できないことがある。特に、これら携帯型電子機器に不慣れなユーザにとっては、操作を行なうことが難しいことがある。
【０００４】
携帯型電子機器に関する技術ではないが、所定時間、ユーザによる入力装置への入力がない場合に、ヘルプ画面を表示するデータ処理装置が提案されている(例えば特許文献２参照)。
【先行技術文献】
【特許文献】
【０００５】
【特許文献１】特開２００９−８９２５号公報
【特許文献２】特開平４−１６０５２７号公報
【発明の概要】
【発明が解決しようとする課題】
【０００６】
携帯型電子機器では、表示画面が小さく、表示画面に直接触れる要領でタッチパネルを操作して入力等を行なう必要があるから、所定時間操作がない毎にヘルプ画面が表示されると、ヘルプ画面が表示画面上の情報を隠してしまい、逆に操作性が低下してしまう虞がある。
また、ヘルプ画面を参照しても、不慣れなユーザは、所望する操作内容にたどり着けないことがある。
【０００７】
一方、操作に慣れたユーザでは、所定時間操作を中断する毎にヘルプ画面が表示画面上に大きく表示されると、却って使い勝手が悪くなることがある。
【０００８】
本発明の目的は、タッチパネルへの無操作時間が所定時間経過すると、操作ガイドがあることを表示し、その表示を操作することで詳細な操作ガイドを表示することのできる携帯型電子機器を提供することである。
【課題を解決するための手段】
【０００９】
上記課題を解決するために、本発明の携帯型電子機器は、
情報を表示可能な表示画面と、
タッチ操作を受け付けるタッチパネルと、
を具えた携帯型電子機器であって、
タッチパネルへの無操作時間をカウントするタイマーと、
該タイマーのカウント時間が所定時間に達したときに、表示画面に表示されている情報に対する操作ガイドがある場合に、前記表示画面のステータスバーに前記操作ガイドがあることを示すガイドピクトを表示し、前記タッチパネルにより前記ガイドピクトに対するタッチ操作が受け付けられた場合、前記操作ガイドを表示画面に表示するガイド制御表示部と、
を具える。
【００１０】
また、本発明の携帯型電子機器の制御方法は、
情報を表示可能な表示画面と、タッチ操作を受け付けるタッチパネルと、を具えた携帯型電子機器の制御方法であって、
タッチパネルへの無操作時間をカウントするステップ、
カウントされた無操作時間が所定時間に達したときに、表示されている情報に対する操作ガイドがある場合に、前記表示画面のステータスバーに前記操作ガイドがあることを示すガイドピクトを表示するステップ、
前記タッチパネルにより前記ガイドピクトに対するタッチ操作が受け付けられた場合、前記操作ガイドを表示するステップと、
を含んでいる。
【００１１】
さらに、本発明の携帯型電子機器のプログラムは、
情報を表示可能な表示画面と、タッチ操作を受け付けるタッチパネルと、を具えた携帯型電子機器のコンピュータに、
タッチパネルへの無操作時間をカウントする手順、
カウントされた無操作時間が所定時間に達したときに、表示されている情報に対する操作ガイドがある場合に、前記表示画面のステータスバーに前記操作ガイドがあることを示すガイドピクトを表示する手順、
前記タッチパネルにより前記ガイドピクトに対するタッチ操作が受け付けられた場合、前記操作ガイドを表示する手順と、
を実行させる。
【発明の効果】
【００１２】
本発明によれば、ユーザからの操作に基づき、操作に関するガイド情報を通知する携帯型電子機器を提供できる効果を奏する。
【図面の簡単な説明】
【００１３】
【図１】図１は、本発明の実施例である携帯型電子機器の概要を示すブロック図である。
【図２】図２は、本発明の実施例である携帯型電子機器の表示画面の一例であって、ガイドピクトを表示した状態を示している。
【図３】図３は、表示画面の一例を示す図であって、ノーティフィケーションパネルに操作ガイドを表示した状態を示している。
【図４】図４は、表示画面の一例を示す図であって、入力領域に対応する操作ガイドを表示した状態を示している。
【図５】図５は、アドレス帳の編集中に操作ガイドの表示を行なうフローチャート図である。
【図６】図６は、フローチャート図５のＡに続くプロセスを示すフローチャート図である。
【図７】図７は、フローチャート図５のＢに続くプロセスを示すフローチャート図である。
【図８】図８は、表示画面の一例を示す図であって、文字入力未確定時に候補選択を促す表示を操作ガイドとして表示した状態を示している。
【図９】図９は、表示画面の一例を示す図であって、ブラウザ閲覧中に表示される操作ガイドを示している。
【発明を実施するための形態】
【００１４】
以下、本発明を適用することのできる携帯型電子機器について、図を参照して詳述する。
図１は、本発明の携帯型電子機器の表示画面(10)の一例を示している。携帯型電子機器として携帯電話機、スマートフォン、タブレット型携帯端末、ＰＤＡ(Personal  Digital  Assistant)などを例示できる。
【００１５】
これら携帯型電子機器は、図１に示すように、表示画面(10)を有し、該表示画面(10)の表面にタッチパネル(12)が設けられている。
表示画面(10)は、ＴＦＴや有機ＥＬ等の液晶パネルを例示することができ、携帯型電子機器で実行されるオペレーティングシステムやアプリケーション等の各種情報が表示可能となっている。
また、タッチパネル(12)は、静電容量方式や抵抗膜方式のものを例示でき、表示画面(10)に表示された情報に直接触れる感覚でタッチパネル(12)を操作することで、オペレーティングシステムやアプリケーション等の操作を行なうことができる。図１の実施例では、アプリケーションとしてアドレス帳を起動し、氏名、電話番号、Ｅメールアドレスなどを入力することのできる複数の入力領域(42)と、これら入力領域(42)に入力を行なうソフトキーボード(44)を表示画面(10)に表示している。
【００１６】
図２は、携帯電子機器のブロック図の一例を示している。
携帯型電子機器の制御は、制御部(20)により行なわれる。制御部(20)は、種々の演算処理を行うＣＰＵ(図示せず)を具えており、携帯型電子機器の制御を総括的に実行する。
【００１７】
制御部(20)には、図２に示すように、表示画面(10)、タッチパネル(12)、記憶部(21)、タイマー(22)、ガイド制御表示部(23)などが電気的に接続されている。制御部(20)には、その他、携帯型電子機器の制御や使用に必要なアンテナ、通信回路等の通信手段、マイク、スピーカ等の通話手段が接続される(何れも図示せず)。
【００１８】
表示画面(10)は、表示制御部(24)を介して制御部(20)に接続されており、オペレーティングシステムやアプリケーションによる情報を表示する。
また、タッチパネル(12)は、タッチパネル制御部(25)を介して制御部(20)に接続され、ユーザがタッチパネル(12)を指等で触れて操作することにより、該当する座標情報がタッチパネル制御部(25)を介して制御部(20)に入力され、各種操作等に用いられる。
【００１９】
タッチパネル(12)を用いたユーザの操作として、例えば、タップ、ダブルタップ、ロングタップ、スライド、フリックなどがある。
タップは、タッチパネル(12)上にタッチした後、タッチパネル(12)より指をリリース(タッチパネル(12)より離す)操作である。
ダブルタッチは、所定時間内にタップを２度行なう操作である。
ロングタッチは、タッチパネル(12)に所定時間以上タッチした後、タッチパネル(12)より指をリリースする操作である。
スライドは、タッチパネル(12)にタッチした後、タッチパネル(12)に指を接触させたまま移動させた後、タッチパネル(12)より指をリリースする操作である。
フリックは、タッチパネル(12)にタッチした後、はじくような操作を行なうことである。具体的には、タッチパネル(12)に接触させた指を所定時間以内に所定距離移動させる操作、つまり、所定速度で移動させる操作である。
以下では、上記の操作をまとめてタッチ操作という場合もある。
【００２０】
記憶部(21)は、ＲＯＭ、ＲＡＭやフラッシュメモリなど(何れも図示せず)から構成され、例えば、ＲＯＭには、制御部(20)が実行する制御手順を記述した各種プログラムや本発明に係るガイド表示に関するプログラムなどが格納され、ＲＡＭには、制御部(20)のＣＰＵで処理されるデータなどが一時的に記憶される。フラッシュメモリには、オペレーティングシステムや各種アプリケーションの画面の構成要素のデータ(例えば、アイコン、ボタンや背景のデータ)などが格納される。制御部(20)及び記憶部(21)は、携帯型電子機器におけるコンピュータとして機能する。
【００２１】
タイマー(22)は、タッチパネル(12)へユーザの操作がない無操作時間をカウントする手段である。タイマー(22)は、ＣＰＵ等のクロック回路やタイマー回路を利用することもできる。
【００２２】
具体的実施例として、タイマー(22)は、タッチパネル制御部(25)から制御部(20)への信号の入力の有無を検知し、タッチパネル制御部(25)から信号の入力がない場合にカウントアップを行なって、入力信号を検知すると、カウントをリセットするよう構成することができる。タッチパネル(12)への無操作時間のカウントが予め又はユーザにより設定された所定時間に達すると、制御部(20)にカウントアップ信号を送信する。
なお、タイマー(22)は、無操作時間をカウントダウンする構成としてもよい。
【００２３】
ガイド制御表示部(23)は、タイマー(22)からのカウントアップ信号を受信して、表示画面(10)に表示されている情報に対する操作ガイドを表示し、該操作ガイドをタッチ操作することで、さらなる操作ガイドを表示する。
操作ガイドとは、表示画面(10)に表示されている情報の操作説明、入力方法、次に行なうことのできる操作の説明である。なお、操作ガイドは、表示画面(10)に直接表示することもできるし、後述するとおり、表示画面(10)の特定の領域、例えば、ステータスバーのピクトエリアにアイコンの如きガイドピクト(30)により表示してもよい。
なお、操作ガイドやガイドピクト(30)は、表示画面(10)の一部の領域に表示されるものであればよく、ステータスバーに限定されるものではない。
【００２４】
例えば、ガイド制御表示部(23)は、アドレス帳やブラウザ等のアプリケーションに対して、対応する操作ガイドがあるかどうかを判断し、操作ガイド(32)がある場合には、タイマー(22)からのカウントアップ信号に基づいて、操作ガイド(32)があることを示すガイドピクト(30)を表示画面(10)に表示する。なお、ガイドピクト(30)は、アイコンに限定されず、「Hint」等の文字、イメージ等とすることもできる。
【００２５】
タッチパネル(12)によりガイドピクト(30)に対するタッチ操作が受け付けられると、ガイド制御表示部(23)は、表示画面(10)にさらなる操作ガイド(32)を表示する。さらなる操作ガイドとは、前記操作ガイドに続く操作説明、入力方法、次に行なうことのできる操作、又はこれらのさらに詳細な説明とすることができる。さらなる操作ガイド(32)は、図３に示すように、ガイドピクト(30)の表示されたステータスバーを引き下ろすことで出現するノーティフィケーションパネル(40)に列挙したり、ガイドピクト(30)をタップ等することで、図４に示すように、吹き出し等により表示することができる。
【００２６】
ガイド制御表示部(23)により表示される操作ガイド(32)は、予めアプリケーションに組み込まれていてもよいし、記憶部(21)に記憶されていてもよい。また、各アプリケーションに対応して、通信手段を利用して外部からダウンロードすることもできる。
【００２７】
ガイドピクト(30)をタッチ操作することにより表示される操作ガイド(32)として、例えば、アプリケーションとしてドレス帳を起動している場合に、氏名、電話番号、Ｅメールアドレスなどを入力する入力領域(42)へ入力すべき内容、入力方法、入力文字種や、現在編集又は入力中の入力領域の表示(図３及び図４中「Continue  edit」)、次に編集又は入力すべき入力領域の表示(図３及び図４中「Edit  next」)、エンターキー(46)をタッチ操作することで入力が完了することを示す表示(図３及び図４中「Complete  edit」)などを例示することができる。
【００２８】
なお、表示されるべき操作ガイド(32)が多数ある場合には、そのすべてを表示画面(10)に表示すると、表示画面(10)が煩雑となる。そのため、ガイド制御表示部(23)は、入力中の入力領域に対応する操作ガイドを他の操作ガイドに比して優先して表示画面(10)に表示することが望ましい。
【００２９】
上記のような場合、ガイド制御表示部(23)は、表示された操作ガイド(32)をタップ、もしくは、操作ガイド(32)を所定時間表示した後に、次の操作ガイドを表示する制御を実行するようにすればよい。これにより、ユーザは、必要とする操作に対するさらなる操作ガイドを参照することができる。
【００３０】
ユーザは、表示された操作ガイド(32)やさらなる操作ガイドを参照することで、次にどのような操作をすべきか容易に理解することができる。従って、操作に不慣れなユーザでも快適に本発明の携帯型電子機器を扱うことができる。
【００３１】
また、上記のように、ガイドピクト(30)を操作するまでは、さらなる操作ガイド(32)は表示されないから、さらなる詳細な操作ガイド(32)が不要なユーザに対しても常にさらなる操作ガイド(32)が表示されてしまうという煩わしさもない。
【００３２】
図５乃至図７は、ユーザがアドレス帳などのアプリケーションを起動している状態で、ガイドピクト(30)の表示及び操作ガイド(32)の表示を行なうためのフローチャート図の一例を示している。
ステップ１０乃至ステップ１３は、タッチパネル(12)への無操作時間が所定時間に到達したか否かを判別するフローである。より具体的には、タッチパネル(12)が操作される毎に(ステップ１１)、タイマー(22)がリセットされて(ステップ１０)、次にタッチパネル(12)が操作されるまで(ステップ１１)、タイマー(22)はカウントを続ける(ステップ１２)。タッチパネル(12)への無操作時間が所定時間を超えると(ステップ１３)、次のステップ１４に進む。
【００３３】
タイマー(22)のカウントが所定時間に達すると、そのカウントアップ信号は制御部(20)を介してガイド制御表示部(23)に送信される。ガイド制御表示部(23)は、ガイドピクト(30)の発生条件を満たすかどうか、即ち、起動中のアプリケーション又はその表示画面(10)に対応する操作ガイド(32)があるかどうかを判別する(ステップ１４)。ガイド制御表示部(23)は、対応する操作ガイド(32)がある場合には、その旨を次ステップ１５においてガイドピクト(30)を表示画面(10)に表示するが、対応する操作ガイド(32)がない場合には、ステップ１０に戻る。
【００３４】
具体的には、アドレス帳を編集、入力等している場合に、入力領域(42)に対する操作ガイド(32)が存在する場合には、ステップ１４はＹｅｓとなり、ステップ１５へ進む。
【００３５】
ステップ１４がＹｅｓの場合、ガイド制御表示部(23)は、表示画面(10)にガイドピクト(30)を表示する。図１に示すように、ガイドピクト(30)は、表示画面(10)の上端のステータスバーのピクトエリアにアイコン等により表示することができる。
【００３６】
ガイドピクト(30)が表示された状態で、ユーザがガイドピクト(30)を操作することにより(ステップ１６又はステップ１７)、ガイド制御表示部(23)は、さらなる操作ガイド(32)を表示画面(10)に表示させる(図３及びフローチャート図６、図４及びフローチャート図７参照)。
【００３７】
より具体的には、ユーザによりガイドピクト(30)の表示されているステータスバーを下方に向けてドラッグ又はフリックされると、ガイド制御表示部(23)は、ノーティフィケーションパネル(40)を表示画面(10)に表示させ(ステップ１６)、後述するとおり、ノーティフィケーションパネル(40)にさらなる操作ガイド(32)を表示させることができる(図３、フローチャート図６参照)。
【００３８】
また、ユーザによりガイドピクト(30)がタップ等されることで、後述するとおり、ガイド制御表示部(23)は、入力領域(42)に対するさらなる操作ガイド(32)を吹き出し表示等により表示させることもできる(図４、フローチャート図７参照)。
【００３９】
なお、ユーザがその他の操作、例えば入力領域(42)への編集や入力を続けた場合には(ステップ１８のＹｅｓ)、ガイド制御表示部(23)は、操作ガイド(32)は不要とみなして、ガイドピクト(30)の表示を消して(ステップ１９)、ステップ１に戻るようにすればよい。
【００４０】
また、ガイドピクト(30)が表示された状態で、タッチパネル(12)が操作されない状態が続く間は、ガイドピクト(30)をそのまま表示させるようにすればよい(ステップ１８のＮｏ)。
【００４１】
上記したノーティフィケーションパネル(40)の表示操作が行なわれると(ステップ１６のＹｅｓ)、ガイド制御表示部(23)は、まず、アプリケーションの状態を判断する(フローチャート図６のステップ２０)。より具体的には、表示すべき操作ガイド(32)を的確なものとするために、アプリケーションの編集状態、例えば、入力領域(42)へ未入力であったり、入力が確定されていたり、入力はされているが変換未確定状態であるのか等を判断し(ステップ２０)、この編集状態に対応する操作ガイド(32)を選択する。
【００４２】
アプリケーションの編集状態に対応した操作ガイド(32)が選択されると、ノーティフィケーションパネル(40)中に操作ガイド(32)を列挙等により表示する(図３及びステップ２１)。図３では、列挙された操作ガイド(32)として、現在編集又は入力中の入力領域の表示(Continue  edit)、次に編集又は入力すべき入力領域の表示(Edit  next)、エンターキー(46)を操作することで入力が完了することを示す表示(Complete  edit)としている。なお、これら操作ガイド(32)にさらに詳細な操作ガイド(図中「explanation」)を追加して表示するようにすることが望ましい。
【００４３】
操作ガイド(32)をユーザが参照し、その内容を理解すると、操作ガイド(32)は不要となるから、ガイド制御表示部(23)は、操作ガイド(32)及びノーティフィケーションパネル(40)を消去し(ステップ２３)、ガイドピクト(30)も消去すればよい(ステップ２４)。これら表示の消去のトリガーとして、操作ガイド(32)をタップ等操作することを例示できる(ステップ２２)。
【００４４】
操作ガイド(32)やガイドピクト(30)等を消去した後、フローチャート図５のステップ１に戻り、編集や入力等を継続することができる。
【００４５】
操作ガイド(32)が表示された状態で(ステップ２１)、タッチパネル(12)への無操作の状態が所定時間経過すると(ステップ２５)、次の操作ガイド(32)がある場合には(ステップ２６)、次の操作ガイド(32)を表示するようにすることで(ステップ２７)、ユーザは次々に表示される操作ガイド(32)を参照し続けると必要な操作を理解することができる。
【００４６】
次の操作ガイド(32)がない場合には、操作ガイド(32)がタップ等されるまで(ステップ２２)、当該操作ガイド(32)の表示を続ければよい。
【００４７】
上記構成によれば、ノーティフィケーションパネル(40)を用いて操作ガイド(32)を参照することができ、ユーザの操作を可及的に向上させることができる。
【００４８】
ガイドピクト(30)のタップ等すると(ステップ１７のＹｅｓ)、ガイド制御表示部(23)は、上記と同様、アプリケーションの状態を判断し(フローチャート図７のステップ３０)、編集状態に対応する操作ガイド(32)を選択する。
【００４９】
アプリケーションの編集状態に対応した操作ガイド(32)が選択されると、ガイド制御表示部(23)は、吹き出し表示により操作ガイド(32)を表示する(図４及びステップ３１)。図４では、吹き出しとして、現在編集又は入力中の入力領域の表示(Continue  edit)、次に編集又は入力すべき入力領域の表示(Edit  next)、エンターキー(46)をタッチ操作することで入力が完了することを示す表示(Complete  edit)としている。なお、これら操作ガイド(32)にさらなる操作ガイドを追加して表示するようにすることが望ましい。
【００５０】
なお、ガイド制御表示部(23)は、吹き出しにより操作ガイド(32)を表示する場合、その表示は、入力領域(42)と重なったり、吹き出し同士が重なることのないように行なうよう制御を実行することが望ましい。また、吹き出しと入力領域(42)が重なる場合、その重なり部分をタップ等したときには、吹き出しへの操作を優先して処理することが望ましい。但し、吹き出しのひげ部分が入力領域(42)等と重なる場合には、その重なり部分への操作は、入力領域(42)等への操作として処理することが望ましい。
【００５１】
操作ガイド(32)が表示された状態で(ステップ３１)、操作ガイド(32)をユーザが参照し、その内容を理解すると、操作ガイド(32)は不要となるから、ガイド制御表示部(23)は、操作ガイド(32)を消去し(ステップ３３)、ガイドピクト(30)も消去すればよい(ステップ３４)。これら表示の消去のトリガーとして、吹き出しである操作ガイド(32)をタップ等操作することを例示できる(ステップ３２)。
【００５２】
操作ガイド(32)やガイドピクト(30)を消去した後、フローチャート図５のステップ１に戻り、編集や入力等を継続することができる。
【００５３】
操作ガイド(32)が表示された状態で(ステップ３１)、タッチパネル(12)への無操作の状態が所定時間経過すると(ステップ３５)、ガイド制御表示部(23)は、次の操作ガイド(32)がある場合には(ステップ３６)、次の操作ガイド(32)を表示するようにすることで(ステップ３７)、ユーザは次々に表示される操作ガイド(32)を参照し続けるだけで必要な操作を理解することができる。
【００５４】
次の操作ガイド(32)がない場合には、操作ガイド(32)がタップ等されるまで(ステップ３２)、当該操作ガイド(32)の表示を続ければよい。
【００５５】
これにより、吹き出しによる操作ガイド(32)を参照して、ユーザの操作を可及的に向上させることができる。
【００５６】
なお、図８に示すように、ソフトキーボード(44)を利用した入力領域(42)へ漢字、カナ等の変換や予測変換時に所定時間以上タッチパネル(12)への無操作の状態が続いた場合には、変換候補の選択を促す操作ガイド(32)(図中「Choose  words」)を表示することもできる。
【００５７】
また、アプリケーションとしてアドレス帳を例示しているが、本発明は、これに限定されるものではなく、例えば、ブラウザ(図９参照)、メールソフト、文書作成ソフト、表計算ソフト等にも本発明を適用できることは勿論である。
【産業上の利用可能性】
【００５８】
本発明は、タッチパネルへの無操作時間が所定時間経過すると、操作ガイドがあることを表示でき、その表示を操作することでさらなる操作ガイドを表示することのできる携帯型電子機器として有用である。
【符号の説明】
【００５９】
(10)  表示画面
(12)  タッチパネル
(20)  制御部
(22)  タイマー
(23)  ガイド制御表示部
(30)  ガイドピクト
(32)  操作ガイド
(40)  ノーティフィケーションパネル
(42)  入力領域
【図１】
0005758277.tif 000002
【図２】
0005758277.tif 000003
【図３】
0005758277.tif 000004
【図４】
0005758277.tif 000005
【図５】
0005758277.tif 000006
【図６】
0005758277.tif 000007
【図７】
0005758277.tif 000008
【図８】
0005758277.tif 000009
【図９】
0005758277.tif 000010